(57)【要約】    【課題】  １台のプロジェクタを用いてマルチ画面画像やワイド画面画像の再生を行った場合にも画面全体として所定の解像度を得ることが容易なプロジェクタを提供する。    【解決手段】  光源１０と、液晶装置８０Ｒ，８０Ｇ，８０Ｂと、投写レンズ１００とを備えたプロジェクタ１であって、投写方向を２方向に切り替えることでスクリーンＳＣＲにおける２箇所の投写領域Ａ１，Ａ２に画像光を投写する投写方向切り替え装置１１０と、投写領域Ａ１，Ａ２に応じた画像データを生成する画像データ処理装置２００とをさらに備え、投写方向の切り替えを所定のタイミングで行って、画像データ処理装置２００で生成された画像データに係る画像光を、スクリーンＳＣＲにおける２箇所の投写領域Ａ１，Ａ２に順次投写する機能を有することを特徴とするプロジェクタ。【選択図】  図１
2006162726.tif 000002
【特許請求の範囲】
【請求項１】
光源と、前記光源からの光を画像データに応じて変調して画像光を生成する電気光学変調装置と、前記電気光学変調装置で生成された画像光を投写面に投写する投写光学系とを備えたプロジェクタであって、
投写方向を所定のｎ方向（ｎは２以上の整数）に切り替えることで投写面におけるｎ箇所の投写領域に画像光を投写する投写方向切り替え装置と、
画像光が投写される投写領域に応じた画像データを生成する画像データ処理装置とをさらに備え、
投写方向の切り替えを所定のタイミングで行って、前記画像データ処理装置で生成された画像データに係る画像光を、投写面におけるｎ箇所の投写領域に順次投写する機能を有することを特徴とするプロジェクタ。
【請求項２】
請求項１に記載のプロジェクタにおいて、
前記投写方向切り替え装置は、前記ｎ箇所の投写領域が投写面において水平方向に並ぶように投写方向の切り替えを行うことを特徴とするプロジェクタ。
【請求項３】
請求項１又は２に記載のプロジェクタにおいて、
前記光源からの光を所定期間遮断可能な光遮断装置をさらに備え、
前記投写方向切り替え装置は、前記光遮断装置が前記光源からの光を遮断している期間に投写方向の切り替えを行うことを特徴とするプロジェクタ。
【請求項４】
請求項１又は２に記載のプロジェクタにおいて、
前記光源を点灯状態又は消灯状態のいずれかの状態に制御する光源制御装置をさらに備え、
前記投写方向切り替え装置は、前記光源制御装置が前記光源を消灯状態としている期間に投写方向の切り替えを行うことを特徴とするプロジェクタ。
【請求項５】
請求項１〜４のいずれかに記載のプロジェクタにおいて、
前記画像データ処理装置は、画像データを記憶するフレームメモリと、前記フレームメモリに記憶された画像データのうち任意の画像データを前記投写方向の切り替えにあわせて順次読み出し可能な画像データ読み出し装置とを有することを特徴とするプロジェクタ。
【請求項６】
請求項１〜４のいずれかに記載のプロジェクタにおいて、
前記画像データ処理装置は、画像データを記憶するｎ個のフレームメモリと、前記ｎ個のフレームメモリに記憶された画像データを所定の順番で読み出し可能な画像データ読み出し装置とを有することを特徴とするプロジェクタ。
【請求項７】
請求項６に記載のプロジェクタにおいて、
前記画像データ読み出し装置は、前記各フレームメモリに対して、少なくともｎ倍の速度での画像データの読み出しを行うことを特徴とするプロジェクタ。
【請求項８】
請求項６又は７に記載のプロジェクタにおいて、
前記投写方向切り替え装置は、前記画像データ読み出し装置が前記ｎ個のフレームメモリのうちいずれかのフレームメモリから画像データの読み出しを終了したら、その後所定のタイミングで投写方向の切り替えを開始し、
前記画像データ読み出し装置は、前記投写方向切り替え装置が投写方向の切り替えを終了したら、その後所定のタイミングで次のフレームメモリから画像データの読み出しを開始することを特徴とするプロジェクタ。
【請求項９】
請求項１〜８のいずれかに記載のプロジェクタにおいて、
前記ｎは２であることを特徴とするプロジェクタ。
【発明の詳細な説明】
【技術分野】
【０００１】
本発明は、プロジェクタに関する。
【背景技術】
【０００２】
複数のプロジェクタを用いてマルチ画面画像の再生を可能としたマルチプロジェクタが知られている（例えば、特許文献１参照。）。このマルチプロジェクタによれば、複数のプロジェクタから投写される投写画像をスクリーンに配列することによってマルチ画面画像やワイド画面画像の再生をすることができる。
【０００３】
【特許文献１】特開２００１−３１８４２９号公報
【発明の開示】
【発明が解決しようとする課題】
【０００４】
しかしながら、上記のようなマルチプロジェクタにおいては、複数のプロジェクタを用いる必要があるため、製造コストを安価にするのが容易ではないという問題があった。また、現状では複数のプロジェクタの各々が不均一な色むら特性や輝度むら特性を有するため、画面全体としての色むらや輝度むらを抑制するための調整作業が煩雑になるという問題があった。
【０００５】
このような問題は、１台のプロジェクタを用いてマルチ画面画像やワイド画面画像の再生を行うこととすれば解決可能であるが、１台のプロジェクタをそのまま用いてマルチ画面画像やワイド画面画像の再生を行ったのでは、画面全体として所定の解像度を得るのが容易ではないという問題があった。
【０００６】
そこで、本発明は、上記した問題を解決するためになされたもので、１台のプロジェクタを用いてマルチ画面画像やワイド画面画像の再生を行った場合にも画面全体として所定の解像度を得ることが容易なプロジェクタを提供することを目的とする。
【課題を解決するための手段】
【０００７】
本発明のプロジェクタは、光源と、前記光源からの光を画像データに応じて変調して画像光を生成する電気光学変調装置と、前記電気光学変調装置で生成された画像光を投写面に投写する投写光学系とを備えたプロジェクタであって、投写方向を所定のｎ方向（ｎは２以上の整数）に切り替えることで投写面におけるｎ箇所の投写領域に画像光を投写する投写方向切り替え装置と、画像光が投写される投写領域に応じた画像データを生成する画像データ処理装置とをさらに備え、投写方向の切り替えを所定のタイミングで行って、前記画像データ処理装置で生成された画像データに係る画像光を、投写面におけるｎ箇所の投写領域に順次投写する機能を有することを特徴とする。
【０００８】
このため、本発明のプロジェクタによれば、投写面におけるｎ箇所の投写領域のそれぞれに対して画像光を切り替えて投写することができる。このため、１台のプロジェクタを用いてマルチ画面画像やワイド画面画像の再生を行った場合にも、ｎ箇所の投写領域のそれぞれにおいて解像度が低下しなくなるため、画面全体としても所定の解像度を容易に得ることができる。
【０００９】
本発明のプロジェクタにおいては、前記投写方向切り替え装置は、前記ｎ箇所の投写領域が投写面において水平方向に並ぶように投写方向の切り替えを行うことが好ましい。
【００１０】
このように構成することにより、複数の画面を横方向に並べてマルチ画像画面の再生を行ったり、横方向に長いワイド画面画像の再生を行ったりすることができるようになる。
【００１１】
また、本発明のプロジェクタにおいては、前記光源からの光を所定期間遮断可能な光遮断装置をさらに備え、前記投写方向切り替え装置は、前記光遮断装置が前記光源からの光を遮断している期間に投写方向の切り替えを行うことが好ましい。
【００１２】
このように構成することにより、光源からの光が遮断されている期間に投写方向の切り替えを行うため、投写方向の切り替えに起因する画像品質の低下を抑制することができる。
【００１３】
また、本発明のプロジェクタにおいては、前記光源を点灯状態又は消灯状態のいずれかの状態に制御する光源制御装置をさらに備え、前記投写方向切り替え装置は、前記光源制御装置が前記光源を消灯状態としている期間に投写方向の切り替えを行うことも好ましい。
【００１４】
このように構成することによっても、光源制御装置が光源を消灯状態としている期間に投写方向の切り替えを行うため、投写方向の切り替えに起因する画像品質の低下を抑制することができる。
【００１５】
また、本発明のプロジェクタにおいては、前記画像データ処理装置は、画像データを記憶するフレームメモリと、前記フレームメモリに記憶された画像データのうち任意の画像データを前記投写方向の切り替えにあわせて順次読み出し可能な画像データ読み出し装置とを有することが好ましい。
【００１６】
このように構成することにより、投写画像全体に係る画像データをフレームメモリに記憶させ、このフレームメモリに記憶されている画像データのうち任意の画像データを投写方向の切り替えにあわせて順次読み出して電気光学変調装置に供給することにより、投写画像を投写すべき領域全体にわたって画像光を投写することが可能になる。
【００１７】
また、本発明のプロジェクタにおいては、前記画像データ処理装置は、画像データを記憶するｎ個のフレームメモリと、前記ｎ個のフレームメモリに記憶された画像データを所定の順番で読み出し可能な画像データ読み出し装置とを有することが好ましい。
【００１８】
このように構成することにより、ｎ箇所の投写領域に対応するｎ個の画像データをｎ個のフレームメモリに記憶させ、これらｎ個のフレームメモリのいずれかに記憶されている各画像データを所定の順番で読み出して電気光学変調装置に供給することにより、ｎ箇所の投写領域のそれぞれに、対応する画像光を投写することが可能になる。
なお、本発明のプロジェクタにおいては、ｎ個のフレームメモリを１個のＲＡＭ中に構成することもできるし、複数個のＲＡＭ中に構成することもできる。
【００１９】
また、本発明のプロジェクタにおいては、前記画像データ読み出し装置は、前記各フレームメモリに対して、少なくともｎ倍の速度での画像データの読み出しを行うことが好ましい。
【００２０】
また、本発明のプロジェクタにおいては、前記投写方向切り替え装置は、前記画像データ読み出し装置が前記ｎ個のフレームメモリのうちいずれかのフレームメモリから画像データの読み出しを終了したら、その後所定のタイミングで投写方向の切り替えを開始し、前記画像データ読み出し装置は、前記投写方向切り替え装置が投写方向の切り替えを終了したら、その後所定のタイミングで次のフレームメモリから画像データの読み出しを開始することが好ましい。
【００２１】
このように構成することにより、各投写領域においては、対応する画像光が適切なタイミングで投写されるようになり、１台のプロジェクタを用いてマルチ画面画像やワイド画面画像の再生を円滑に行うことが可能になる。
【００２２】
また、本発明のプロジェクタにおいては、前記ｎは２であることが好ましい。
【００２３】
このように構成することにより、１台のプロジェクタを用いて２箇所の投写領域に画像光を投写することができる。また、ｎ＝２とすることで、投写方向切り替え装置における投写方向の切り替え制御及び画像データ処理装置における画像データ生成制御を容易にすることができる。
【発明を実施するための最良の形態】
【００２４】
以下、図に示す実施形態に基づいて、本発明のプロジェクタを説明する。
なお、以下に示す実施形態では、スクリーンに２つの投写領域が所定の間隔を隔てて横方向（水平方向）に並んだ状態で形成されている場合について説明する。
【００２５】
図１は、実施形態に係るプロジェクタ１の構成を説明する平面図である。
実施形態に係るプロジェクタ１は、発光管１１及び楕円面リフレクタ１２を有する光源１０と、光遮断装置としての光シャッタ装置２０と、平行化レンズ３０と、第１レンズアレイ４１及び第２レンズアレイ４２と、偏光変換素子５０と、重畳レンズ６０と、色分離導光光学系７０と、色分離導光光学系７０によって分離された３つの色光（赤色光Ｒ、緑色光Ｇ、青色光Ｂ）のそれぞれを変調して画像光を生成する電気光学変調装置としての液晶装置８０Ｒ，８０Ｇ，８０Ｂと、液晶装置８０Ｒ，８０Ｇ，８０Ｂで生成された画像光を合成するクロスダイクロイックプリズム９０と、クロスダイクロイックプリズム９０によって合成された画像光をスクリーンＳＣＲに投写する投写光学系としての投写レンズ１００とを備えている。
【００２６】
実施形態に係るプロジェクタ１は、投写方向を所定の２方向に切り替えることでスクリーンＳＣＲにおける２箇所の投写領域Ａ１，Ａ２（図２参照。）に画像光を投写する投写方向切り替え装置１１０と、投写領域Ａ１，Ａ２に応じた画像データを生成する画像データ処理装置２００（図３参照。）とをさらに備え、投写方向の切り替えを所定のタイミングで行って、画像データ処理装置２００で生成された画像データに係る画像光を、２箇所の投写領域Ａ１，Ａ２に順次投写する機能を有している。
【００２７】
光シャッタ装置２０は、光源１０からの光を所定期間遮断するもので、モータ（図示せず。）によって回転可能な回転軸２１と、回転軸２１に取り付けられた円盤２２とを有している。円盤２２は、図１の破線枠Ｃ内に示すように、光源１０からの光を通過させる光透過部２２ａと、光源１０からの光を遮断する光遮断部２２ｂとを有している。光シャッタ装置２０は、光源１０からの光が集束する位置近傍に円盤２２が存在するように設置される。なお、光シャッタ装置２０の機能については後述する。
【００２８】
色分離導光光学系７０は、２枚のダイクロイックミラー７０１，７０２と、３枚の反射ミラー７０３，７０４，７０５と、２枚のリレーレンズ７０６，７０７と、フィールドレンズ７０８，７０９，７１０とを有しており、光源１０からの光を３つの色光（赤色光Ｒ、緑色光Ｇ、青色光Ｂ）に分離して液晶装置８０Ｒ，８０Ｇ，８０Ｂに導く機能を有している。
【００２９】
投写レンズ１００は、図１に示す矢印ａ方向又は矢印ａ’方向に回動可能となっている。そして、投写方向切り替え装置１１０の駆動によって矢印ａ方向又は矢印ａ’方向に所定角度の回動を行うことで、投写方向を切り替えることができるように構成されている。なお、投写方向切り替え装置１１０による投写方向の切り替えは、光シャッタ装置２０が光源１０からの光を遮断している期間に行われる。
【００３０】
図２は、投写レンズ１００の動作を説明する図である。投写レンズ１００は、初期状態においては位置Ｐ０にあり、位置Ｐ０から矢印ａ方向に回動した場合は、位置Ｐ１側に切り替わり、矢印ａ’方向に回動した場合は、位置Ｐ２側に切り替わるように構成されている。
【００３１】
なお、投写レンズ１００が位置Ｐ１となった場合には、投写レンズ１００からの画像光はスクリーンＳＣＲの投写領域Ａ１に投写され、投写レンズ１００が位置Ｐ２となった場合には、投写レンズ１００からの画像光はスクリーンＳＣＲの投写領域Ａ２に投写される。投写領域Ａ１と投写領域Ａ２との間には所定の間隔が設けられている。
【００３２】
投写方向切り替え装置１１０は、投写レンズ１００を位置Ｐ０を基点に矢印ａ方向又は矢印ａ’方向に回動させる投写レンズ駆動機構（図示せず。）を有している。投写レンズ駆動機構としては、例えば、電磁コイルに電流を流すことによって接点を吸着し、電磁コイルに流れる電流を遮断すると接点が元の位置に復帰する電磁リレーを用いて投写レンズ１００を回動させる機構や、モータの回転を利用して投写レンズ１００を回動させる機構など種々の機構を用いることが可能である。
【００３３】
なお、モータなどの回転を利用して投写レンズ１００を回動させる機構を用いれば、投写レンズ１００の角度をきめ細かく多段階に設定することができ、それによって、投写レンズ１００の投写方向をきめ細かく設定することができるようになる。
【００３４】
図３は、画像データ処理装置２００の構成を示す図である。
画像データ処理装置２００は、アナログ信号として入力される入力画像データＤ１をデジタル信号に変換する第１のＡ／Ｄ変換装置２１１と、アナログ信号として入力される入力画像データＤ２をデジタル信号に変換する第２のＡ／Ｄ変換装置２１２と、第１のＡ／Ｄ変換装置２１１でデジタル化された画像データＤ１１の１フレーム分を記憶する第１のフレームメモリ２２１と、第２のＡ／Ｄ変換装置２１２でデジタル化された画像データＤ２１の１フレーム分を記憶する第２のフレームメモリ２２２と、第１のフレームメモリ２２１に記憶された１フレーム分の画像データ及び第２のフレームメモリ２２２に記憶された１フレーム分の画像データのいずれかを所定のタイミングで１フレームごとに交互に読み出し可能な画像データ読み出し装置２３０と、画像データ読み出し装置２３０によって読み出された１フレーム分の画像データに対して補正を行う画像データ補正装置２４０と、画像データ補正装置２４０で補正のなされた画像データをアナログ信号に変換するＤ／Ａ変換装置２５０とを有している。
【００３５】
画像データ読み出し装置２３０は、第１のフレームメモリ２２１に記憶された１フレーム分の画像データ又は第２のフレームメモリ２２２に記憶された１フレーム分の画像データを読み出す際、通常の読み出し速度（例えば６０フレーム／秒）の２倍のフレームレート（１２０フレーム／秒）で読み出し可能なものである。
【００３６】
したがって、画像データ読み出し装置２３０は、第１のフレームメモリ２２１に記憶された１フレーム分の画像データを約８．３３ミリ秒で読み出しし、続いて、第２のフレームメモリ２２２に記憶された１フレーム分の画像データを約８．３３ミリ秒で読み出し、続いて、第１のフレームメモリ２２１に記憶された１フレーム分の画像データを約８．３３ミリ秒で読み出すという動作を繰り返し行う。
【００３７】
画像データ読み出し装置２３０は、例えば第１のフレームメモリ２２１から画像データの読み出しが終了すると、読み出し終了後の所定のタイミングで投写方向切り替え装置１１０に対して投写方向切り替え要求信号を出力する。そして、投写方向切り替えが終了すると、その投写方向切り替え終了後の所定のタイミングで第２のフレームメモリ２２２から画像データの読み出しを開始する。これらの動作を繰り返し行う。
【００３８】
画像データ補正装置２４０は、画像データ読み出し装置２３０で読み出された１フレーム分の画像データを補正する機能を有する。その補正処理内容としては、１フレーム分の画像データが液晶装置８０Ｒ，８０Ｇ，８０Ｂの各画素数よりも小さい場合には拡大を行い、逆に、液晶装置８０Ｒ，８０Ｇ，８０Ｂの画素数よりも大きい場合には縮小を行う拡大縮小処理、１フレーム分の画像データに対し台形補正を行う台形補正処理、１フレーム分の画像データに対しガンマ補正を行うγ補正処理などが含まれる。
【００３９】
次に実施形態に係るプロジェクタ１の動作について説明する。
投写レンズ１００は、図２に示す位置Ｐ１に切り替わっているものとする。このとき、画像データ読み出し装置２３０は、第１のフレームメモリ２２１に記憶されている画像データＤ１１の第１フレームに係る画像データを読み出す。これによって、画像データＤ１１の第１フレームに係る画像光は、スクリーンＳＣＲの投写領域Ａ１に投写される。
【００４０】
画像データ読み出し装置２３０は、画像データＤ１１の第１フレームに係る画像データの読み出しが終了すると、その読み出し終了後の所定のタイミング（例えば、読み出し終了と同時のタイミング）で、投写方向切り替え装置１１０に投写方向切り替え要求信号を出力する。
【００４１】
これにより、投写方向切り替え装置１１０は、投写レンズ１００を位置Ｐ２に切り替える。投写方向の切り替えを行う際、光源１０からの光は、光シャッタ装置２０によって遮断されるため、後段の色分離導光光学系７０には光が入射されないようになっている。
【００４２】
光シャッタ装置２０は、光源１０からの光を所定期間遮断可能とするもので、投写方向の切り替えのタイミングごとに所定時間光源１０からの光を遮断する。その遮断時間は、投写方向の切り替えに必要な時間として例えば１ミリ秒とする。
【００４３】
すなわち、光シャッタ装置２０は、画像データ読み出し装置２３０による読み出し期間（例えば８．３３ミリ秒）に光源１０からの光を通過させ、その後所定期間（例えば１ミリ秒）に光を遮断するといった動作を繰り返し行う。このような動作を実現するためには、光シャッタ装置２０を次のような構成としている。
【００４４】
光シャッタ装置２０は、８．３３ミリ秒間だけ光を通過させたのち１ミリ秒間だけ光を遮断するような回転を行う。このため、円盤２２を１２０回転／秒で回転させるとともに、円盤２２の光遮断部２２ｂの中心角θを４３°とする。中心角θの値は、「８．３３ミリ秒：１ミリ秒＝３６０°：θ」の関係式により求めた。
【００４５】
したがって、光遮断部２２ｂの中心角θを４３°に設定するとともに円盤２２を１２０回転／秒で回転させることによって、８．３３ミリ秒間だけ光を通過させたのち１ミリ秒間だけ光を遮断させるといった動作を繰り返し行うことが可能となる。
【００４６】
このように構成された光シャッタ装置２０を用いることにより、光シャッタ装置２０が光源１０からの光を遮断している期間に投写方向の切り替えを行うことができるようになり、投写方向の切り替えに起因する画像品質の低下を抑制することができる。
【００４７】
画像データ読み出し装置２３０は、投写方向切り替え終了後の所定のタイミングで、今度は、第２のフレームメモリ２２２から画像データＤ２１の第１フレームに係る画像データの読み出しを開始する。これによって、画像データＤ２１の第１フレームに係る画像光がスクリーンＳＣＲの投写領域Ａ２に投写される。
【００４８】
なお、投写方向切り替えが終了した後、画像データ読み出し装置２３０が次のフレームメモリ（この場合は、第２のフレームメモリ２２２）から画像データの読み出しを開始するタイミングは次のように設定することができる。
【００４９】
まず、その１として、投写方向切り替え装置１１０が投写方向切り替え終了信号を画像データ読み出し装置２３０に出力するようにして、画像データ読み出し装置２３０がその投写方向切り替え終了信号を受信したタイミングを次のフレームメモリ（この場合は、第２のフレームメモリ２２２）から画像データの読み出しを開始するタイミングとする。
【００５０】
また、その２として、直前のフレームメモリ（この場合は、第１のフレームメモリ２２１）の読み出し終了後の所定の時間後（この場合は、投写方向の切り替えに必要な時間として設定された１ミリ秒後）を、次のフレームメモリ（この場合は、第２のフレームメモリ２２２）から画像データの読み出しを開始するタイミングとする。
【００５１】
このようなタイミングで、画像データ読み出し装置２３０が画像データＤ２１の第２のフレームメモリ２２２から第１フレームに係る画像データの読み出しを開始し、画像データＤ２１の第１フレームに係る画像データの読み出しが終了すると、その読み出し終了タイミングで画像データ読み出し装置２３０は、再び、投写方向切り替え要求信号を出力する。この投写方向切り替え要求信号は、投写方向切り替え装置１１０に与えられ、投写レンズ１００が位置Ｐ１に切り替えられ、それによって、投写方向が切り替えられる。
【００５２】
画像データ読み出し装置２３０は、投写方向切り替え終了後の所定のタイミングで、第１のフレームメモリ２２１から画像データＤ１１の第２フレームに係る画像データの読み出しを開始する。これによって、画像データＤ１１の第２フレームに係る画像光がスクリーンＳＣＲ上の投写領域Ａ１に投写される。
【００５３】
以上のような動作を繰り返すことで、スクリーンＳＣＲ上の投写領域Ａ１及び投写領域Ａ２には、画像データＤ１１の各フレームに係る画像光と画像データＤ２１の各フレームに係る画像光が８．３３ミリ秒のフレーム周期で交互に投写される。
【００５４】
図４は、スクリーンＳＣＲに形成される２つの投写領域Ａ１，Ａ２を示す図である。実施形態に係るプロジェクタ１の投写方向が切り替えられることにより、投写領域Ａ１には画像データＤ１１に係る画像が投写され、投写領域Ａ２には画像データＤ２１に係る画像が投写される。実施形態に係るプロジェクタ１においては、それぞれの画像データＤ１１，Ｄ２１は、８．３３ミリ秒のフレーム周期で交互に投写される。
【００５５】
図５は、スクリーンＳＣＲに形成される投写領域の他の例を説明する図である。図５（ａ）は投写領域Ａ１，Ａ２が重複しないで連続するように形成される例を示す図である。これにより、投写領域Ａ１及び投写領域Ａ２による２画面分の連続した横長の投写領域Ａ３を得ることができる。この場合、投写領域Ａ１に投写される画像及び投写領域Ａ２に投写される画像は、それぞれが異なる画像であってもよく、また同じ画像であってもよい。さらに、１つの画像を２画面分のワイド画像として投写することもできる。
【００５６】
一方、図５（ｂ）は、重複部分を有する状態で投写領域Ａ１，Ａ２が形成される例を示す図である。この場合、投写領域Ａ１，Ａ２のそれぞれ１／２の投写領域が重複している。これにより、投写領域Ａ１及び投写領域Ａ２による１．５画面分の連続した横長の投写領域Ａ４を得ることができる。この場合、１つの画像を２つの投写領域Ａ１，Ａ２の範囲内で所定の大きさのワイド画像として投写する場合に好適であり、この場合も高解像度の画像を得ることができる。なお、この場合、重複領域の輝度が高くなるので、輝度補正を行うことが望ましい。
【００５７】
スクリーンＳＣＲにおける投写領域Ａ１及び投写領域Ａ２の形成領域は、投写レンズ１００の傾き角度を調整することにより調整可能である。
【００５８】
以上、本発明のプロジェクタを上記の実施形態に基づいて説明したが、本発明は上記の実施形態に限定されるものではなく、その要旨を逸脱しない範囲において種々の態様において実施することが可能であり、例えば次のような変形も可能である。 
【００５９】
（１）上記の実施形態に係るプロジェクタ１においては、投写領域Ａ１及び投写領域Ａ２にはそれぞれ独立した画像を投写しているが、本発明はこれに限定されるものではない。投写領域Ａ１及び投写領域Ａ２に一つの画像を投写することもできる。
【００６０】
（２）上記の実施形態に係るプロジェクタ１においては、投写領域Ａ１と投写領域Ａ２とがスクリーンの横方向（水平方向）に並ぶように投写方向の切り替えを行っているが、本発明はこれに限定されるものではない。投写領域Ａ１と投写領域Ａ２とがスクリーンの縦方向（鉛直方向）に並ぶように投写方向の切り替えを行うこともできる。
【００６１】
（３）上記の実施形態に係るプロジェクタ１においては、光軸に対する投写レンズ１００の傾き角度を変更することにより投写方向の切り替えを行っているが、本発明はこれに限定されるものではない。光軸に垂直な方向に投写レンズをシフトさせてあおり量を変更することにより投写方向の切り替えを行うこともできる。
【００６２】
（４）上記の実施形態に係るプロジェクタ１においては、スクリーンＳＣＲに２箇所の投写領域Ａ１，Ａ２を設けているが、本発明はこれに限定されるものではない。スクリーンに３箇所以上の投写領域を設けることもできる。この場合、それに伴い、投写方向の切り替えも３方向以上とし、フレームメモリも３個以上準備し、画像データ読み出し装置もフレームメモリからの画像データの読み出しも通常の３倍以上の速度で行う。
【００６３】
（５）上記の実施形態に係るプロジェクタ１においては、電気光学変調装置として液晶装置８０Ｒ，８０Ｇ，８０Ｂを用いているが、本発明はこれに限定されるものではない。電気光学変調装置としては、一般に、入射光を画像情報に応じて変調するものであればよく、マイクロミラー型光変調装置などを利用してもよい。マイクロミラー型光変調装置としては、例えば、ＤＭＤ（デジタルマイクロミラーデバイス）（ＴＩ社の商標）を用いることができる。 
【００６４】
（６）上記の実施形態に係るプロジェクタ１においては、光遮断装置としての光シャッタ装置２０を用いているが、本発明はこれに限定されるものではない。光源１０を点灯状態又は消灯状態のいずれかの状態に制御する光源制御装置を利用して、この光源制御装置が光源１０を消灯状態としている期間に投写方向の切り替えを行うこともできる。
【００６５】
（７）上記の実施形態に係るプロジェクタ１においては、投写方向の切り替えにあわせて第１のフレームメモリ２２１と第２のフレームメモリ２２２とに保存されている画像データを交互に読み出す構成の画像データ読み出し装置２３０を用いているが、本発明はこれに限定されるものではない。
例えば、３：４のアスペクト比を有する液晶装置を用いて、９：１６のアスペクト比を有する投写画像をスクリーン上に投写する場合においては、フレームメモリに記憶された９：１６のアスペクト比を有する画像データから、９：８のアスペクト比を有する２つの画像データ（右半分の画像に係る画像データ及び左半分の画像に係る画像データ）を投写方向の切り替えにあわせて順次読み出すような構成の画像データ読み出し装置を用いることができる。この場合、投写方向切り替え装置は、投写方向を２方向に切り替える。
【図面の簡単な説明】
【００６６】
【図１】実施形態に係るプロジェクタ１の構成を説明する平面図。
【図２】投写レンズ１００の動作を説明する図。
【図３】画像データ処理装置２００の構成を示す図。
【図４】スクリーンＳＣＲに形成される２つの投写領域Ａ１，Ａ２を示す図。
【図５】スクリーンＳＣＲに形成される投写領域の他の例を説明する図。
【符号の説明】
【００６７】
１…プロジェクタ、１０…光源、１１…発光管、１２…楕円面リフレクタ、２０…光シャッタ装置、２１…回転軸、２２…円盤、２２ａ…光透過部、２２ｂ…光遮断部、３０…平行化レンズ、４１…第１レンズアレイ、４２…第２レンズアレイ、５０…偏光変換素子、６０…重畳レンズ、７０…色分離導光光学系、８０Ｒ，８０Ｇ，８０Ｂ…液晶装置、９０…クロスダイクロイックプリズム、１００…投写レンズ、１１０…投写方向切り替え装置、２００…画像データ処理装置、２１１…第１のＡ／Ｄ変換装置、２１２…第２のＡ／Ｄ変換装置、２２１…第１のフレームメモリ、２２２…第２のフレームメモリ、２３０…画像データ読み出し装置、２４０…画像データ補正装置、２５０…Ｄ／Ａ変換装置、３００…設置台、７０１，７０２…ダイクロイックミラー、７０３，７０４，７０５…反射ミラー、７０６，７０７…リレーレンズ、７０８，７０９，７１０…フィールドレンズ、Ａ１，Ａ２，Ａ３，Ａ４…投写領域
【図１】
2006162726.tif 000003
【図２】
2006162726.tif 000004
【図３】
2006162726.tif 000005
【図４】
2006162726.tif 000006
【図５】
2006162726.tif 000007